(57)【要約】  【課題】  使用勝手の良い健康食品または薬剤用の容器を提供すること。  【解決手段】  粘性のある健康食品または薬剤Ａを収容する収容体２と、健康食品または薬剤Ａを前記収容体２から注入可能で、人体内で溶解する材料からなるカプセル体３とよりなり、更に、前記収容体２は、前記カプセル体３へ健康食品または薬剤Ａを注入するためのノズル６を有する一方、前記カプセル体３は、前記ノズル６が挿入可能なノズル挿入穴１２を有する。  【選択図】  図１                                                              
2006021806.tif 000002
【特許請求の範囲】
【請求項１】
粘性のある健康食品または薬剤を収容する収容体と、健康食品または薬剤を前記収容体から注入可能で、人体内で溶解する材料からなるカプセル体とよりなり、更に、前記収容体は、前記カプセル体へ健康食品または薬剤を注入するためのノズルを有する一方、前記カプセル体は、前記ノズルが挿入可能なノズル挿入穴を有することを特徴とする健康食品または薬剤用の容器。
【請求項２】
ノズル挿入時において前記ノズルとノズル挿入穴との間に、空気の逃げ道としての隙間が形成されるように構成されている請求項１に記載の健康食品または薬剤用の容器。
【請求項３】
前記カプセル体に、前記ノズル挿入穴とは別に空気の逃げ道用の孔を形成してある請求項１に記載の健康食品または薬剤用の容器。
【請求項４】
前記ノズル挿入穴の周辺部分に面接触の状態で当接し、それによって、前記カプセル体への健康食品または薬剤の注入動作を安定化しうるフランジを、前記ノズルの外周側に設けてある請求項１〜請求項３のいずれかに記載の健康食品または薬剤用の容器。
【請求項５】
前記ノズルの先端面に健康食品または薬剤が流出可能なスリット状の切目が形成されている請求項１〜請求項４のいずれかに記載の健康食品または薬剤用の容器。
【請求項６】
前記収容体は、前記ノズルを覆うキャップを有する請求項１〜請求項５のいずれかに記載の健康食品または薬剤用の容器。
【発明の詳細な説明】
【技術分野】
【０００１】
この発明は、健康食品または薬剤用の容器に関するものである。
【背景技術】
【０００２】
健康食品として、例えば酢酸にサトウキビを発酵させたものおよびニンニクを混入してなる滋養強壮剤がある。この滋養強壮剤は粘性および流動性があり、さらには異臭があることから、従来はアルミニウム製包装紙でパックされている。
【発明の開示】
【発明が解決しようとする課題】
【０００３】
しかし、前記包装紙に切れ目を入れて滋養強壮剤を絞り出す際に一部が手についたり、異臭が漏れ、さらには口に入れにくいなど使用勝手が悪かった。
【０００４】
この発明は上述の事柄に留意してなされたもので、その目的は、使用勝手の良い健康食品または薬剤用の容器を提供することである。
【課題を解決するための手段】
【０００５】
上記目的を達成するために、この発明の健康食品または薬剤用の容器は、粘性のある健康食品または薬剤を収容する収容体と、健康食品または薬剤を前記収容体から注入可能で、人体内で溶解する材料からなるカプセル体とよりなり、更に、前記収容体は、前記カプセル体へ健康食品または薬剤を注入するためのノズルを有する一方、前記カプセル体は、前記ノズルが挿入可能なノズル挿入穴を有することを特徴とする。
【発明の効果】
【０００６】
この発明では、容器を、粘性のある健康食品または薬剤を収容する収容体と、健康食品または薬剤を前記収容体から注入可能で、人体内で溶解する材料からなるカプセル体とから構成し、前記収容体に、前記カプセル体へ健康食品または薬剤を注入するためのノズルを設け、前記カプセル体に、前記ノズルが挿入可能なノズル挿入穴を設けたので、使用者は、前記ノズルを前記ノズル挿入穴に挿入するだけの容易な動作で、前記ノズルを介して、収容体内の粘性のある健康食品または薬剤を前記カプセル体へ注入することができる。また、前記ノズルを介して前記カプセル体内に注入するので、注入時に粘性のある健康食品または薬剤の一部が手についたりすることはない。また、適量の前記健康食品または薬剤を注入する限りにおいては前記ノズル挿入穴から前記健康食品または薬剤が溢れ出ることはないので、注入後の前記カプセル体を手に持っても前記健康食品または薬剤で手を汚したり、異臭が漏れたりすることはなくなり、さらにはカプセル体なので口に入れやすいなど使用勝手がよい。
【発明を実施するための最良の形態】
【０００７】
以下、この発明の実施形態を、図を参照しながら説明する。なお、それによってこの発明は限定されるものではない。
【０００８】
図１〜図４は、ノズルの外周面を先細りのテーパ状とし、ノズル挿入穴を円形としたこの発明の第１の実施形態を示す。
図１〜図４において、健康食品または薬剤用の容器１は、収容体２とカプセル体３とよりなる。前記収容体２は、粘性のある健康食品または薬剤（以下、単に健康食品という）Ａ、例えば、前述した粘性および流動性があり、さらには異臭のある滋養強壮剤を収容するもので、チューブ型に形成されている。前記カプセル体３は、人体内で溶解する材料、例えば無味無臭のゼラチンからなり、透明または半透明で、前記健康食品Ａを前記収容体２から注入可能な形状になっている。  
すなわち、前記収容体２は、粘性および流動性があり、さらには異臭のある健康食品Ａを収容する収容体本体４と、キャツプねじ部５と、カプセル体３へ前記健康食品Ａを注入するためのテーパ状のノズル６と、このノズル６を覆うキャップ７とから主としてなる。２４は、ノズル６の先端に設けられた流出孔である。更に、収容体本体４は、収容体本体４の長手方向における一端に形成され、先端に行くほど小径となるテーパ部分８を有する。また、前記キャツプねじ部５は、雄ねじを有するものであり、収容体本体４のテーパ部分８に連設して形成されている。また、キャツプねじ部５は、前記長手方向における一端に形成され、先端に行くほど小径となるテーパ部分５ａを有する。前記ノズル６は、前記キャツプねじ部５の軸線方向（両矢印Ｂで示す方向）に同軸に位置しており、キャツプねじ部５のテーパ部分５ａの先端に形成された内向きフランジ面部５ｂに連設して形成されている。前記ノズル６は内向きフランジ部５ｂの内周部分から連設されている。前記ノズル６は、先端に行くほど小径となっており、前記Ｂ方向に所定の長さを有する状態で、ノズル周面ｍに一つのリブ９が突出形成されている。また、前記カプセル体３は、二分割されており、有底筒状のカプセル本体１０と、このカプセル本体１０の開口１０ａを覆う筒状の蓋１１とから主としてなる。更に、前記蓋１１は、ノズル６が挿入可能なノズル挿入穴１２を底部に有する。すなわち、このカプセル体３は長手方向における一端にノズル挿入穴１２を有する。このノズル挿入穴１２は、平面視円形であるが、外形が円形のノズル６の挿入方向への移動途中でノズル挿入穴１２よってノズル６の移動を阻止できるような径Ｄに設定されている。つまり、キャツプねじ部５の内向きフランジ面部５ｂにノズル挿入穴１２の周辺部分Ｇが面接触の状態で当接する前にノズル挿入途中でノズル６が止まるようにノズル挿入穴１２の径Ｄとノズル６の大きさが設定されている。内向きフランジ面部５ｂと周辺部分Ｇが当接するとカプセル体３内の空気の逃げ道がなくなるからである。この実施形態では、ノズル６に関しては、内向きフランジ面部５ｂからｅだけ離れた位置がノズル挿入穴１２よって移動が阻止される位置である。そして、この発明において、前記リブ９をノズル周面ｍに設けたのは、リブ９の突出長さ分だけ、ノズル周面ｍと挿入穴１２の開口端面１２ａとの間にカプセル体３内の空気の逃げ道としての隙間Ｎができるからであり、仮に前記リブ９が無い場合、ノズル挿入穴１２の径Ｄに相当する径を持つノズル部分がノズル挿入穴１２を塞ぐ形となり、カプセル体３内の空気の逃げ道がなくなることになる。このように、この発明では、ノズル６とノズル挿入穴１２は、ノズル挿入時において空気の逃げ道としての隙間Ｎが形成されるように構成されている。なお、キャップ７は、有底の筒状で周面ｎがテーパ状に形成されており、キャップ７をつかみやすくしてキャップ７の開閉が容易に行えるように周面ｎにセレーション１３を有する。
【０００９】
而して、収容体２内の健康食品Ａをカプセル体３内に移し替えるにあたり、キャップ７をキャツプねじ部５から取り外してノズル６を露出させながら、ノズル６をカプセル体３のノズル挿入穴１２に挿入して収容体２を絞るだけの容易な操作で、健康食品Ａで手を汚すことなくカプセル体３へ適量の健康食品Ａを注入できる。また、注入後にノズル挿入穴１２からノズル６を取り出す操作もカプセル体３から収容体２を離すだけの容易な操作で健康食品Ａで手を汚すことなく行える。さらには、適量の健康食品Ａが注入されたカプセル体３を飲み込む場合でも、手を汚すことはない。さらにはカプセル体３なので口に入れやすい。
【００１０】
図５は、カプセル体３への健康食品Ａの注入動作を安定化するように構成したこの発明の第２の実施形態を示す。図５において、図１〜図４に示した符号と同一のものは同一または相当物である。
図５において、１４は、前記ノズル６の外周側に設けられたフランジで、収容体２のキャツプねじ部５に形成されている。すなわち、フランジ１４は、キャツプねじ部５の前記長手方向における一端にノズル６を囲む形で形成されており、ノズル６の挿入方向への移動途中でノズル挿入穴１２よってノズル６の移動を阻止されると同時に蓋１１におけるノズル挿入穴１２の周辺部分１２ｃに面接触の状態で当接し、それによって、カプセル体３への健康食品Ａの注入動作を安定化させる機能を有する。すなわち、収容体２内の健康食品Ａをカプセル体３内に移し替えるにあたり、カプセル体３のノズル挿入穴１２に挿入されたノズル６が挿入方向への移動を阻止された時点ではフランジ１４の環状下面が蓋１１に面接触の状態で当接するよう構成されている。この当接状態では収容体２がフランジ１４を介してカプセル体３に保持されるので、カプセル体３への健康食品Ａの注入動作を安定化できる。
【００１１】
図６、図７、図８は、ノズルの変形例を示すもので、丸穴のノズル挿入穴１２に対して、リブ９が無くても空気の逃げ道としての隙間Ｎを形成できるタイプのノズル６’を示している。図６、図７、図８において、図１〜図５に示した符号と同一のものは同一または相当物である。
図６は、丸穴のノズル挿入穴１２に挿脱可能に嵌込まれる大きさを有し、先に行くほど細くなり、外形形状がほぼ三角形のノズル６’を示す。挿入時には、挿入穴１２の開口端面１２ａと、三角錐台のノズル６’の三つの胴面１５，１６，１７との間にカプセル体３内の空気の逃げ道としての隙間Ｎができる。この場合も上記各実施形態と同様に、キャツプねじ部５の内向きフランジ面部５ｂにノズル挿入穴１２の周辺部分Ｇが面接触の状態で当接する前にノズル挿入途中で三角錐台のノズル６’が止まるようにノズル挿入穴１２の径Ｄと三角錐台のノズル６’の大きさが設定されている。
図７は、丸穴のノズル挿入穴１２に挿脱可能に嵌込まれる大きさを有し、先に行くほど細くなり、外形形状がほぼ四角形のノズル６’を示す。挿入時には、挿入穴１２の開口端面１２ａと、四角錐台のノズル６’の四つの胴面１８，１９，２０，２１との間にカプセル体３内の空気の逃げ道としての隙間Ｎができる。この場合も上記各実施形態と同様に、キャツプねじ部５の内向きフランジ面部５ｂにノズル挿入穴１２の周辺部分Ｇが面接触の状態で当接する前にノズル挿入途中で四角錐台のノズル６’が止まるようにノズル挿入穴１２の径Ｄと四角錐台のノズル６’の大きさが設定されている。
図８は、丸穴のノズル挿入穴１２に挿脱可能に嵌込まれる大きさを有し、先に行くほど細くなるノズル６’を示す。このノズル６’は、外形形状がテーパ状の前部分２２と、これに連設し、外形形状がほぼ五角形の後部分２３とからなる。挿入時には、挿入穴１２の開口端面１２ａと、テーパ部分と五角錐台部分の混ざったノズル６’の後部分２３の五つの胴面との間にカプセル体３内の空気の逃げ道としての隙間Ｎができる。この場合も上記各実施形態と同様に、キャツプねじ部５の内向きフランジ面部５ｂにノズル挿入穴１２の周辺部分Ｇが面接触の状態で当接する前にノズル挿入途中で四角錐台のノズル６’が止まるようにノズル挿入穴１２の径Ｄと四角錐台のノズル６’の大きさが設定されている。
【００１２】
図９は、ノズルの更なる変形例を示す。図９は、ノズルの先端面に健康食品または薬剤が流出可能なスリット状の切目を形成したタイプのノズル６’’を示している。図９において、図１〜図８に示した符号と同一のものは同一または相当物である。
図９において、この実施形態では、ノズル６’’の流出孔２４の出口を塞ぎ、この閉塞面部２６に健康食品Ａが流出可能なスリット状の十字型の切目２７が形成されている。この場合も上記各実施形態と同様に、キャツプねじ部５の内向きフランジ面部５ｂにノズル挿入穴１２の周辺部分Ｇが面接触の状態で当接する前にノズル挿入途中で四角錐台のノズル６’’が止まるようにノズル挿入穴１２の径Ｄと四角錐台のノズル６’の大きさが設定されている。
【００１３】
図１０、図１１、図１２は、カプセル体３の変形例を示すものである。上記各実施形態では、丸穴のノズル挿入穴１２を示したが、図１０には、丸穴の代わりに三角形のノズル挿入穴３０が示されており、図１１には、丸穴の代わりに四角形のノズル挿入穴３１が示されている。これらの場合も上記各実施形態と同様に、キャツプねじ部５の内向きフランジ面部５ｂにノズル挿入穴３０，３１の周辺部分Ｇが面接触の状態で当接する前にノズル挿入途中でノズル６，６’が止まるようにノズル挿入穴３０，３１の大きさとノズル６，６’の大きさが設定されている。
図１２は、丸穴の前記ノズル挿入穴１２とは別に空気の逃げ道用の孔３２を形成してあるカプセル体３を示す。この場合、ノズル挿入穴１２に挿入されるノズルの形状は問わない。
【００１４】
図１３は、カプセル体の変形例を示すもので、上記各実施形態で用いた二分割のものではなく一体成形されたカプセル体３’である。このカプセル体３’は長手方向における一端に例えば丸穴のノズル挿入穴１２を有する。
【図面の簡単な説明】
【００１５】
【図１】この発明の一実施形態を示す分解斜視図である。
【図２】上記実施形態で用いたカプセル体を示す構成説明図である。
【図３】上記実施形態で用いたカプセル体を示す斜視図である。
【図４】上記実施形態における使用状態を示す構成説明図である。
【図５】この発明の他の実施形態における使用状態を示す構成説明図である。
【図６】この発明で用いるノズルの変形例を示す要部斜視図である。
【図７】この発明で用いるノズルの他の変形例を示す要部斜視図である。
【図８】この発明で用いるノズルの更に他の変形例を示す要部斜視図である。
【図９】この発明で用いるノズルの別の変形例を示す要部斜視図である。
【図１０】この発明で用いるカプセル体の変形例を示す要部斜視図である。
【図１１】この発明で用いるカプセル体の他の変形例を示す要部斜視図である。
【図１２】この発明で用いるカプセル体の更に他の変形例を示す要部斜視図である。
【図１３】この発明で用いる一体型のカプセル体を示す構成説明図である。
【符号の説明】
【００１６】
１          健康食品または薬剤用の容器
２          収容体
３          カプセル体
６          ノズル
１２        ノズル挿入穴                                                        Ａ          粘性のある健康食品または薬剤
【図１】
2006021806.tif 000003
【図２】
2006021806.tif 000004
【図３】
2006021806.tif 000005
【図４】
2006021806.tif 000006
【図５】
2006021806.tif 000007
【図６】
2006021806.tif 000008
【図７】
2006021806.tif 000009
【図８】
2006021806.tif 000010
【図９】
2006021806.tif 000011
【図１０】
2006021806.tif 000012
【図１１】
2006021806.tif 000013
【図１２】
2006021806.tif 000014
【図１３】
2006021806.tif 000015